(57)【要約】【課題】構ベクトル調整器によるパイロット信号の調整が不能となる事態を回避して、歪を正確に補償することのできる歪補償回路を提供する。【解決手段】本発明にかかる歪補償回路の基本的構成の大部分は、従来のフィードフォワード型歪補償回路のものと同様である。すなわち、第一の分配器(1)、第一のベクトル調整器(2)、主増幅器(3)、第一の遅延線(4)、第二の分配器(5)、第一の合成器(6)、第二の遅延線(7)、第二のベクトル調整器(8)、誤差増幅器(9)、第二の合成器(10)、制御部(11)、パイロット信号発生器(12)及びパイロット信号検出器(13)とで構成される。しかしながら、従来のフィードフォワード型歪補償回路に対し、パイロット信号発生器及びパイロット信号検出器において異なり、該パイロット信号発生器は、発生させるパイロット信号の周波数を変更し、該パイロット信号検出器は、該変更された周波数に同期する。【選択図】  図１
2007318297.tif 000002
【特許請求の範囲】
【請求項１】
高周波入力信号を、初期主信号と初期迂回路信号に分配する第一の分配器(1)と、
該初期主信号の位相制御と利得調整を行う第一のベクトル調整器(2)と、
該初期主信号を増幅する主増幅器(3)と、
該初期迂回路信号の位相を、該主増幅器(3)で増幅された該初期主信号の位相に合わせる第一の遅延線(4)と、
該主増幅器で発生する歪成分を含む該初期主信号を、中間主信号と、歪検出用信号に分配する第二の分配器(5)と、
該歪検出用信号と該初期迂回路信号とを合成して中間迂回路信号を出力する第一の合成器(6)と、
該中間主信号と該中間迂回路信号との位相を合わせるための第二の遅延線(7)と、
該中間迂回路信号の位相制御と利得調整を行う第二のベクトル調整器(8)と、
迂回路の誤差増幅器(9)と、
該中間迂回路信号と該中間主信号とを合成して該歪成分が除去された最終主信号を出力する第二の合成器(10)と、
位相制御及び利得調整を行う制御部(11)と、
該主増幅器(3)の中段にパイロット信号を注入するパイロット信号発生器(12)と、
該第二の合成器(10)の出力端において該パイロット信号を検出するパイロット信号検出器(13)と、
で構成され、
該パイロット信号発生器(12)は、発生させるパイロット信号の周波数を変更し、該パイロット信号検出器(13)は、該変更された周波数に同期することを特徴とする歪補償回路。
【請求項２】
該周波数の変更は、所定範囲での掃引により実行される請求項１に記載の歪補償回路。
【請求項３】
該周波数の変更は、予め定められた特定値への移行により実行される請求項１に記載の歪補償回路。
【請求項４】
高周波入力信号を、初期主信号と初期迂回路信号に分配する第一の分配器(1)と、
該初期主信号の位相制御と利得調整を行う第一のベクトル調整器(2)と、
該初期主信号を増幅する主増幅器(3)と、
該初期迂回路信号の位相を、該主増幅器(3)で増幅された該初期主信号の位相に合わせる第一の遅延線(4)と、
該主増幅器で発生する歪成分を含む該初期主信号を、中間主信号と、歪検出用信号に分配する第二の分配器(5)と、
該歪検出用信号と該初期迂回路信号とを合成して中間迂回路信号を出力する第一の合成器(6)と、
該中間主信号と該中間迂回路信号との位相を合わせるための第二の遅延線(7)と、
該中間迂回路信号の位相制御と利得調整を行う第二のベクトル調整器(8)と、
迂回路の誤差増幅器(9)と、
該中間迂回路信号と該中間主信号とを合成して該歪成分が除去された最終主信号を出力する第二の合成器(10)と、
位相制御及び利得調整を行う制御部(11)と、
該主増幅器(3)の中段にパイロット信号を注入するパイロット信号発生器(12)と、
該第二の合成器(10)の出力端において該パイロット信号を検出するパイロット信号検出器(13)と、
で構成され、
該パイロット信号検出器(13)は、該パイロット信号の周波数を中心とする狭帯域で該パイロット信号を検出することを特徴とする歪補償回路。
【発明の詳細な説明】
【技術分野】
【０００１】
本発明は、フィードフォワード型の歪補償回路に関するものである。
【背景技術】
【０００２】
歪補償回路として、フィードフォワード型のものが広く採用されている。フィードフォワード型歪補償回路は、入力信号を増幅させる際に発生する歪成分を、入力信号から分配した迂回路信号を用いて取り除くためのもので、その基本構成は図２に示す通りである。
【０００３】
図２に示すフィードフォワード型歪補償回路では、まず、入力端２０から高周波信号が入力され、第一の分配器１で初期主信号と初期迂回路信号に分配される。（以下、第一の分配器から出力された段階の信号は「初期」と称することとする。）初期主信号は、第一のベクトル調整器２を通過し主増幅器３により増幅される。そして、主増幅器３で増幅された初期主信号は、主増幅器３で発生する歪成分を含んだまま第二の分配器５に加えられ、その一部が歪検出用信号として第一の合成器６に加えられる。一方、初期迂回路信号は、第一の遅延線４において主増幅器３の遅延時間分の補正がなされた後、第一の合成器６に加えられ、前記歪検出用信号と合成されて中間迂回路信号として出力される。（以下、第一の合成器から出力された迂回路信号には「中間」を冠することとする。）この第一の合成器６では、迂回路信号に、その逆相の歪成分を含んだ歪検出用信号が合成され、これにより歪信号のみが抽出されることになる。
【０００４】
中間迂回路信号は、第二のベクトル調整器８を通過し誤差増幅器９で増幅され第二の合成器１０に加えられる。一方、第二の分配器５を通過した、歪成分を含む中間主信号は、第二の遅延線７において誤差増幅器９の遅延時間分の補正がなされ第二の合成器１０に加えられる。（以下、第二の合成器から分配された主信号には「中間」を冠することとする。）この第二の合成器１０では、相互に逆相となっている中間迂回路信号の歪成分と中間主信号の歪成分が合成され、互いに打ち消され、主信号から歪成分が除去されることになる。
【０００５】
ただし、主増幅器３の特性が温度や時間の経過の影響で変化すると、歪補償回路の歪を打ち消す特性が劣化してしまうという問題があった。そこで、この問題を解消するために、パイロット信号を用いる方法が採用されている。
【０００６】
パイロット信号は、第一のベクトル調整器２（歪検出回路）の調整を主目的とする第一パイロット信号と、第二のベクトル調整器８（歪除去回路）の調整を主目的とする第二パイロット信号の２種類が用いられる。第一パイロット信号は、入力端の第一パイロット信号発生器２４より入力信号に注入され、合成器６の出力端に設けられた第一パイロット信号検出器２５により検出される。そして、この第一パイロット信号が最小となるように、第一のベクトル調整器２で位相と利得が調整される。一方、第二パイロット信号は、第二パイロット信号発生器２２から主増幅器３の中段に注入され、出力端に設けられた第二パイロット信号検出器２３により検出される。そして、この第二パイロット信号が最小となるように、第二のベクトル調整器８で位相と利得が調整される。このように、第一及び第二パイロット信号が最小となるように、第一及び第二のベクトル調整器２、８で位相と利得を調整すれば、主増幅器３の特性の変化に関わらず、歪補償回路の歪を打ち消す特性を維持することができる。この際、第一パイロット信号検出器２５及び第二パイロット信号検出器２３の出力を取り込み、第一及び第二のベクトル調整器２、８を操作する制御部２１を利用することにより、効率的な調整を行うことができる。なお、このパイロット信号を利用したフィードフォワード型歪補償回路を開示した文献として、例えば、特開平４−８３４０６号がある。
【特許文献１】特開平４−８３４０６号公報
【発明の開示】
【発明が解決しようとする課題】
【０００７】
しかしながら、上記フィードフォワード型歪補償回路では、周波数が予め決められているパイロット信号が利用されていた。そのため、帯域内に想定外のスプリアスが生じた場合、その影響が大きくなり、パイロット信号の調整が不能となって正確な歪補償ができなくなるという問題があった。また、帯域内に想定外の信号が入力される場合や、帯域内に複数の信号が断続して入力される場合にも、入力された信号により発生したスプリアスの影響によりパイロット信号を検出できなくなり、やはり、パイロット信号の調整が不能となって正確な歪補償ができなくなるという問題があった。
【０００８】
そこで、本発明の目的は、ベクトル調整器によるパイロット信号の調整が不能となる事態を回避して、歪を正確に補償することのできる歪補償回路を提供することにある。
【課題を解決するための手段】
【０００９】
本発明にかかる第一の歪補償回路の基本的構成は、上記従来のフィードフォワード型歪補償回路のものと同様である。すなわち、第一の分配器、第一のベクトル調整器、主増幅器、第一の遅延線、第二の分配器、第一の合成器、第二の遅延線、第二のベクトル調整器、誤差増幅器、第二の合成器、制御部、パイロット信号発生器及びパイロット信号検出器とで構成される。しかしながら、上記従来のフィードフォワード型歪補償回路に対し、パイロット信号発生器及びパイロット信号検出器において異なり、該パイロット信号発生器は、発生させるパイロット信号の周波数を変更し、該パイロット信号検出器は、該変更された周波数に同期することを特徴とする。
【００１０】
該周波数の変更は、所定範囲での掃引により実行されてもよい。
【００１１】
該周波数の変更は、予め定められた特定値への移行により実行されてもよい。
【００１２】
本発明にかかる第二の歪補償回路の基本的構成も、上記従来のフィードフォワード型歪補償回路のものと同様である。すなわち、第一の分配器、第一のベクトル調整器、主増幅器、第一の遅延線、第二の分配器、第一の合成器、第二の遅延線、第二のベクトル調整器、誤差増幅器、第二の合成器、制御部、パイロット信号発生器及びパイロット信号検出器とで構成される。しかしながら、上記従来のフィードフォワード型歪補償回路に対し、パイロット信号検出器において異なり、該パイロット信号検出器は、該パイロット信号の周波数を中心とする狭帯域で該パイロット信号を検出することを特徴とする。
【発明の効果】
【００１３】
本発明にかかる第一の歪補償回路によれば、パイロット信号発生器が、発生させるパイロット信号の周波数を変更し、パイロット信号検出器が、変更された周波数に同期するものとなっているので、歪補償に影響を及ぼさない周波数を検出することができる。そのため、帯域内に生じた想定外のスプリアス、帯域内への想定外の入力信号、或いは帯域内への複数の継続した信号入力が生じた場合でも、ベクトル調整器によるパイロット信号の調整が不能となる事態を回避して歪を正確に補償することができる。
【００１４】
周波数の変更は、所定範囲での掃引により実行されてもよく、或いは、予め定められた特定値への移行により実行されてもよい。前出の変更方式は、最適な周波数が不明であってもよく、その適用範囲は広いが、歪補償が実行されるまでに時間を要するという欠点がある。これに対し、後出の変更方法は、予め最適な周波数が判明している場合に限定されるが、歪補償が短時間に実行される利点がある。
【００１５】
本発明にかかる第二の歪補償回路によれば、パイロット信号検出器が、パイロット信号を、その周波数を中心とする狭帯域で検出するため、入力された高周波信号の側近の歪を検出でき、また、入力された高周波信号が２波以上の場合信号と信号の間の歪を検出できる。
【００１６】
狭帯域の幅は、例えば、１ｋＨｚ〜１００ｋＨｚとすればよいが、特に、±１５ｋＨｚとすれば、地上波デジタル放送のＡＭＰなどの用途に好適である。ただし、この狭帯域の幅は、検出する信号の変調波成分を取り込めるものとする必要がある。
【発明を実施するための最良の形態】
【００１７】
以下、図１に、本発明の具体例を示す。図１は歪補償回路の回路図である。なお、上述の従来技術をそのまま採用した部分には、従来技術の説明に使用したものと同じ符号を付し、その説明を省略する。
【００１８】
この歪補償回路のパイロット信号発生器１２及びパイロット信号検出器１3は、まず、従来のフィードフォワード型歪補償回路のもの（図2の第二パイロット信号発生器２２及び第二パイロット信号検出器２３）と同様の役割を果たすものとなっている。すなわち、パイロット信号発生器１２は主増幅器３の中段にパイロット信号を注入し、出力端に設けられたパイロット信号検出器１３がこれを検出する。そして、このパイロット信号が最小になるように、制御部１１が第二のベクトル調整器８で位相と利得を調整する。このように、パイロット信号検出器１３が検出したパイロット信号が最小になるように第一及び第二のベクトル調整器２、８で位相と利得を調整し、主増幅器３の特性の変化に関わらず、歪補償回路の歪を打ち消す特性を維持することができる。
【００１９】
一方、第一及び第二のベクトル調整器２、８の位相と利得を調整しても、パイロット信号検出器１３の検出レベルが予め制御部１１に設定したレベルより下がらない場合、制御部１１よりパイロット発生器１２に制御信号を与えパイロット信号発生器１２の周波数を掃引する。また、これと同時に、パイロット信号検出器１３に対しても制御部１１より制御信号を与えパイロット信号発生器１２の周波数と同期させる。そして、パイロット信号検出器１３の出力が最小となる周波数ポイントで、第一及び第二のベクトル調整器２、８の位相と利得を調整し、パイロット信号が最小となる状態とする。
【００２０】
パイロット信号の調整が不能となる原因がある程度特定され、その際に最適となるパイロット信号の周波数が判明している場合は、制御部１１にその周波数を予め記憶しておいてもよい。そして、パイロット信号の周波数の変更は掃引ではなく、その記憶された値への移行により実行してもよい。そして、パイロット信号の周波数の変更は掃引ではなく、その記憶された値への移行により実行してもよい。そうすると、掃引による変更と比較して、歪補償をより短時間で実行することができる。
【００２１】
パイロット信号検出器１３は、パイロット信号の周波数を中心とする狭帯域でパイロット信号を検出するものであっても良い。パイロット信号を検出する帯域は徐々に狭めても良いが、パイロット信号の調整が不能となる原因がある程度特定され、その際に最適となる帯域が判明している場合、制御部１１にその帯域を予め記憶しておいてもよい。そして、パイロット信号を検出する帯域は徐々に狭めるのではなく、その記憶された帯域へ移行してもよい。その場合、徐々に狭める場合と比較して、歪補償がより短時間で実行される。狭帯域の幅は、例えば、１ｋＨｚ〜１００ｋＨｚとすればよいが、特に、±１５ｋＨｚとすれば、地上波デジタル放送のＡＭＰなどの用途に好適である。ただし、この狭帯域の幅は、検出する信号の変調波成分を取り込めるものとする必要がある。
【図面の簡単な説明】
【００２２】
【図１】本発明の歪補償回路の具体例を示す回路図である。
【図２】従来技術例を示す回路図である。
【符号の説明】
【００２３】
１    第一の分配器
２    第一のベクトル調整器
３    主増幅器
４    第一の遅延線
５    第二の分配器
６    第一の合成器
７    第二の遅延線
８    第二のベクトル調整器
９    誤差増幅器
１０  第二の合成器
１１  制御部
１２  パイロット信号発生器
１３  パイロット信号検出器
【図１】
2007318297.tif 000003
【図２】
2007318297.tif 000004